(57)【要約】【課題】家具の表面に天然の木質及び木目の美しさを生かした点に於て、価値を有するものではあるが、テレビ、ビデオ、ステレオなどの電気製品を家具の中に収納して、リモコンで操作できる家具において、個性豊かな赤外線透過性装飾板製品を開発することを目的とした。【解決手段】赤外線の透過度の高い薄板を透明板に貼りあわせて、薄板として、突板の単板、木目をもったプリント紙、あるいは木目をもったプリントした樹脂シートを、ガラス、アクリル樹脂、メチルメタアクリレートなどの透明板の表面に貼着している赤外線透過性装飾板である。【選択図】図６
0003148815.tif 000002
【実用新案登録請求の範囲】
【請求項１】
赤外線の透過度の高い薄板を透明板に貼りあわせていることを特徴とする赤外線透過性装飾板。
【請求項２】
薄板は、厚さ０．１５〜１．２ｍｍにスライスした突板の単板、０．１２〜０．１４ｍｍの化粧和紙、人工的に１０〜３００ミクロンの大きさの開口穴を作った２０〜１００ミクロンのプリント紙・樹脂シートであって、この突板の単板、化粧和紙、あるいは木目をプリントした紙・樹脂シートを透明板の表面に貼着していることを特徴とする請求項１に記載の赤外線透過性装飾板。
【請求項３】
透明板は、１ｍｍ〜５ｍｍの厚みで、ガラス、アクリル樹脂、メチルメタアクリレートであって、光線透過率が７０％以上であることを特徴とする請求項１に記載の赤外線透過性装飾板。
【請求項４】
薄板は  １０〜３００ミクロンの大きさの開穴口を持っていて、全体の面積で３〜２０％の光透過できる穴口を設けていることを特徴とする請求項１に記載の赤外線透過性装飾板
【請求項５】
暑さ０．１５〜１．２ｍｍにスライスした突板の単板を透明板に貼着して、５０〜５００ミクロンの着色樹脂塗膜をほどこした赤外線透過性装飾板。
【考案の詳細な説明】
【技術分野】
【０００１】
本考案は各種電気製品を収納している家具の表面化粧材として使用される赤外線透過性装飾板に関するものである。
この種の電気製品を収納されている家具は、家具の表面に天然の木質及び木目の美しさを生かした点に於いて、価値を有するものではあるが、テレビ、ビデオ、ステレオなどの電気製品を家具の中に収納して、リモコンで操作できる家具において、個性豊かな製品の開発が要求されるようになった。
【０００２】
本考案は上記のような要求に鑑み、突板の単板、和紙、プリントした紙、樹脂シートに天然の木質及び木目の美しさ、抽象柄を有すると同時に、従来の独特な美しさを有する赤外線透過性装飾板を提供しようとするものである。
【背景技術】
【０００３】
従来から家具等の表面化粧材として使用される木質化粧シートを得る方法としては、合成樹脂フィルム上に剥離可能な合成樹脂層を用いて、樹脂をその接着剤層が木質薄板の表面に接するように重ね合わせたのち、加熱加圧して接着剤を木質薄板の表層部に浸透させると同時にこの接着剤層を介して合成樹脂層を木質薄板の表面に転写する方法が知られている（例えば、特許文献１参照）。
【０００４】
また、木質薄板の表面に目止め層を介して木目柄印刷層を設けたのち、この木目柄印刷層上に樹脂層を層着し、樹脂層を表面保護層によって保護する木質化粧シートの製造方法も知られている（例えば、特許文献２参照）。
【０００５】
天然の木質及び木目の美しさを有すると同時に、従来の突板貼り合板にはない独特な美しさを有する積層板を提供するために、突板を差し挾んで２枚の透明ガラス板を一体に固着し、２枚の透明ガラス板に差し挾まれた突板は肉薄であるため、その表裏何れからも光が透過し、これにより独特な木目模様が表現されるものもある（特許文献３参照）。
【０００６】
【特許文献１】特許第３０７７３４０号。
【特許文献２】特開２００４−２６８４９６号。
【特許文献２】特開平５−１６９５９０号。
【考案の開示】
【考案が解決しようとする課題】
【０００７】
電気製品を収納されている家具は、家具の表面に天然の木質及び木目の美しさ、抽象柄を生かした点に、価値を有するものではあるが、テレビ、ビデオ、ステレオなどの電気製品を家具の中に収納して、リモコンで操作できる家具において、個性豊かな製品を開発することにある。
【０００８】
近年、高級家具・建築用材料として使用する木材が枯渇し、入手が困難になりつつあるが、高級品に対する需要は尚増加する傾向にあるため、その対策として繊維板等を使用した芯板の表面に突板を貼着することにより、天然の木質及び木目の美しさを生かした積層板が製造されている。
【０００９】
家電製品を収納した家具は、表面に天然の木質及び木目の美しさを生かした点に於いて価値を有するものではあるが、在り来りで独創性がなく、更に個性豊かな製品の開発が見当たらないのが現状である。
【００１０】
そこで上記のような要求に鑑み、家電製品を収納した家具の表面に天然の木質及び木目の美しさ、抽象柄を有すると同時に、従来の突板貼り合板にはない独特な美しさを有する積層板を提供し、しかも電気製品を外周からリモコンによって、自由にコントロールできるような家具、キャビネットの装飾である化粧板を要求するものである。
【課題を解決するための手段】
【００１１】
赤外線の透過度の高い薄板を透明板に貼りあわせている赤外線透過性装飾化粧板である。
薄板は、厚さ０．１５〜１．２ ｍｍにスライスした突板の単板、和紙、２０〜１００ミクロンのプリントした紙・樹脂シートであって、この突板の単板、木目をもったプリント紙、あるいは木目をもったプリントした樹脂シートを透明板の表面に貼着している。
【００１２】
透明板は、１ｍｍ〜５ｍｍの厚みで、ガラス、アクリル樹脂、メチルメタアクリレートであって、光線透過率が７０％以上である。
薄板は  １〜１００ミクロンの大きさの開穴口を持っていて、全体の面積で３〜２０％の光透過できる穴口を設けている。
【００１３】
薄板の透明板への貼着は、ウレタン系樹脂の接着剤を透明板の面に１−２ミクロンに塗布して貼着している。薄板内に湿気硬化型ウレタン系樹脂を加圧加熱によって浸透させたのち、該薄板に含浸させて湿気硬化型ウレタン系樹脂の硬化を促進させ、その薄板を透明板に貼りあわせ、しかるのち、薄板の表面に塗料を塗布した赤外線透過性装飾化粧板である。
【００１４】
上記目的を達成するために本考案の装飾板は、厚さが０．１５〜１．２ ｍｍの薄板の内部にウレタン系樹脂が表面から裏面に達するまで浸透、硬化してなる構造を有している。
【００１５】
このように構成した化粧板において、請求項２に係る考案は、上記薄板をスライス突板単板から形成してなるもので、この突板単板は、表面に貼着している。
【００１６】
さらに、表面に塗装するウレタン系樹脂として、１００ μｍの厚みに硬化させた時の全光 線透過率が７０％以上となるウレタン系樹脂を使用していることを特徴としている。ウレタン系樹脂を塗装膜として、浸透、硬化させている薄板の表面に設けている。
【００１７】
上記木質化粧シートの製造方法であって、厚さが０．１５〜１．２ mmの薄板を加温し、この加温した薄板の表面に１００μｍの厚みに硬化させた時の全光線透過率が７０％以上の高い透明度を有するウレタン系樹脂を塗布した。
【００１８】
さらに、薄板の表面に塗布されたウレタン系樹脂を、薄板の内部に浸透させることを特徴とし、薄板内にウレタン系樹脂を加圧加熱によって浸透させたのち、薄板の表面に塗布した。
【００１９】
薄板に着色材を塗布する際には、染料・顔料を厚み1〜１００ミクロン以内に分散塗布し、
全体の面積で３〜２０％の光透過できる１〜１００ミクロンの大きさの開穴口を  全光 線透過率が７０％以上にする必要がある。
【考案の効果】
【００２０】
本考案の装飾板は上記のように、突板、和紙、プリントした紙、樹脂シートを透明ガラス板、アクリル樹脂、メチルメタアクリレートの表面に貼着してなるものであるから、その表に天然の木目模様が表現され、合板その他の透過性を有しない素材の表面に貼着した部とのデザインの調和が保たれると共に、光が透過するから、これにより独特な木目・抽象柄模様が表現されるものである。
【００２１】
従って、テレビ、ステレオなどの音響電気製品を収納している家具の製造用表化粧材料に用いた場合に、調和し得ると同時に、独特な美しさを有する魅力的な家具を提供することが可能となるものである。
【考案を実施するための最良の形態】
【００２２】
次に、本発明の実施の形態を図面について説明すると、
1226037845968_0
ー図３は本発明の木質化粧シートの断面図を示すもので、この木質化粧シートは、木質薄板１の内部全体、即ち、表面から裏面までのものである。
【実施例１】
【００２３】
図１では、正面以外の面を  合板にタモのつき板を貼り付けた天然木化粧合板によって、家具（テレビ台）を作っているが、その面の全光透過率は０の為、リモコンよる赤外線は全く透過しない。そこで、前面のみ内部が見えるよう細い木材で扉枠を作ってみた。
【００２４】
その表面に厚み0.23ｍｍにスライスしたタモの突板（開穴口率１５％）を  厚み4ｍｍのガラスの表面にウレタン系樹脂系の接着剤により接着し、図６に示すように家具（テレビ台）の扉枠に装着した。
【００２５】
そしてその表面には、装飾性を出す為に全光線透過率が７０％以上にするよう正面以外の色調と変わらない色の着色剤を塗装した。これで外部から見れば内部には何がはいっているのか全く見えない構造になった。
【００２６】
そして家具（テレビ台）の箱の中には、DVDプレーヤーを配置して、上記の表面をガラスに突板を接着した扉で隙間無く隠し、家具より３ｍ離れた地点からリモコン操作を試みた。合計３０回試みたが、全てリモコン操作が可能であった。
【００２７】
これで今までリモコンで操作する為に、ガラス・アクリルなど赤外線透過性の高い素材を使うしかなかった表面のデザインの意匠性が大きく変わることとなり、家具の用途・スタイルの幅が広がることになる。
【実施例２】
【００２８】
図3に示すように、厚み０．１２〜０．１４ｍｍで全光線透過率が７０％以上の装飾性のある化粧和紙を  厚み３ｍｍのアクリル板の表面にウレタン系樹脂系の接着剤により接着し、実施例１と同じく家具（テレビ台）の扉枠に装着した。
【００２９】
同じく家具（テレビ台）の箱の中には、DVDプレーヤーを配置して、箱の表面をガラスに突板を接着した扉で隙間無く隠し、家具より３ｍ離れた地点からリモコン操作を試みた。合計３０回試みたが、全てリモコン操作が可能であった。
「比較例１」
【００３０】
１０〜３００ミクロンの大きさの開穴口を持っていて、全体の面積で３〜２０％の光透過できる穴口を持つ突板とガラスの間に全光透過性３0％前後の和紙に貼り、全光 線透過率が７０％以下のものとなったが、上記実施例１と同様な条件によって木質化粧シートを得た。
【００３１】
得られた木質化粧シートは赤外線透過率が悪く、家具より３ｍ離れた地点からリモコン操作を試みたが、全てリモコン操作が不可能であった。
電気製品を外周からリモコンによって、自由にコントロールできるような意匠性はなくなった。
「比較例２」
【００３２】
上記実施例1と同様な条件によって化粧シートを得た。得られた化粧シートは、濃い色目の木目柄を印刷したプリント紙であるが、黒を基調とした顔料により着色したプリント紙は、光を透過できる10ミクロン以上の穴口が３パーセント以下になり、透明板に貼着しての赤外線透過率は５０%以上の結果を得ることができなかった。
【図面の簡単な説明】
【００３３】
【図１】木質化粧シートとガラス接着の一部の簡略拡大縦断面図
【図２】和紙とアクリル板の一部の簡略拡大縦断面図
【図３】樹脂シートとメチルメタアクリレートの一部の簡略拡大縦断面図
【図４】図１の表面から見た場合の突板表面の図
【図５】図１の裏面から見た場合の突板にある無数の開口穴
【図６】実施例１による実際の実験例
【図７】実施例１による実際の外見図
【符号の説明】
【００３４】
１塗装層
２突板
３接着層
４ガラス
５プリント紙
６アクリル板
７樹脂シート
８メチルメタアクリレート
９電気製品(DVDプレーヤーなど)
10扉枠
1１赤外線リモコン
12赤外線透過性装飾板
【図１】
0003148815.tif 000003
【図２】
0003148815.tif 000004
【図３】
0003148815.tif 000005
【図４】
0003148815.tif 000006
【図５】
0003148815.tif 000007
【図６】
0003148815.tif 000008
【図７】
0003148815.tif 000009